【手続補正書】
【提出日】平成19年3月2日(2007.3.2)
【手続補正１】
【補正対象書類名】明細書
【補正対象項目名】特許請求の範囲
【補正方法】変更
【補正の内容】
【特許請求の範囲】
【請求項１】  １つの送信装置から無線送信された送信信号を受信してデジタルデータ系列を復調するとともに、復調したデジタルデータ系列に対して誤り訂正処理を行う複数の受信手段と、
上記各受信手段から出力される複数のデジタルデータ系列を同期させる同期手段と、
同期させた複数のデジタルデータ系列を合成して１つのデジタルデータ系列を出力する合成手段とを備え、
上記合成手段は、各デジタルデータ系列の伝送誤りの状態に応じて、複数のデジタルデータ系列のなかから１つのデジタルデータ系列を選択して合成すること
を特徴とする無線受信装置。
【請求項２】  上記各受信手段は、誤り訂正処理後にも伝送誤りを含んでいるデジタルデータ系列に対して、伝送誤りを含んでいることを示す誤り表示情報を付加し、
上記合成手段は、上記誤り表示情報に基づき、複数のデジタルデータ系列のなかから１つのデジタルデータ系列を選択して、１つのデジタルデータ系列に合成すること
を特徴とする請求項１記載の無線受信装置。
【請求項３】  上記合成手段は、上記誤り表示情報に基づき、伝送誤りがないデジタルデータ系列を選択して、１つのデジタルデータ系列に合成すること
を特徴とする請求項２記載の無線受信装置。
【請求項４】  上記各受信手段は、互いに空間的に異なる位置に配置されていること
を特徴とする請求項１記載の無線受信装置。
【請求項５】  上記各受信手段は、互いに指向性の異なるアンテナを有していること
を特徴とする請求項１記載の無線受信装置。
【請求項６】  上記デジタルデータ系列は、ＭＰＥＧ２Systemsに規定されたトランスポートストリームであること
を特徴とする請求項１記載の無線受信装置。
【請求項７】  上記トランスポートストリームには、誤り訂正符号としてリード・ソロモン符号が付加されており、
上記各受信手段は、誤り訂正処理として上記トランスポートストリームに対してリード・ソロモン復号を行い、上記トランスポートストリームにリード・ソロモン復号による誤り訂正能力を超えた伝送誤りが生じている場合には、伝送誤りを含んでいることを示す誤り表示フラグをトランスポートストリームパケット（ＴＳパケット）毎に付加し、
上記合成手段は、各トランスポートストリームから上記誤り表示フラグを検出し、検出した上記誤り表示フラグに基づきＴＳパケットを選択して、複数のトランスポートストリームから１つのトランスポートストリームに合成すること
を特徴とする請求項６記載の無線受信装置。
【請求項８】  上記各受信手段及び合成手段は、上記ＴＳパケット内のエラー表示ビットを上記誤り表示フラグとして用いること
を特徴とする請求項７記載の無線受信装置。
【請求項９】  上記同期手段は、上記各デジタルデータ系列を遅延させる遅延メモリと、上記各デジタルデータ系列の遅延量を制御して同期させる同期制御部とを有していること
を特徴とする請求項１記載の無線受信装置。
【請求項１０】  上記デジタルデータ系列は、ＭＰＥＧ２Systemsに規定されたトランスポートストリームであること
を特徴とする請求項９記載の無線受信装置。
【請求項１１】  上記同期手段の同期制御部は、トランスポートストリームパケット（ＴＳパケット）内のＰＩＤ（Packet Identification）及びコンティニュイティカウンタ値に基づき、上記遅延量をＴＳパケット単位で制御して、上記各トランスポートストリームを同期させること
を特徴とする請求項１０記載の無線受信装置。
【請求項１２】  上記同期手段の同期制御部は、トランスポートストリームパケット内（ＴＳパケット内）の同期バイトに基づき、上記遅延量をＴＳパケット単位で制御して、各トランスポートストリームを同期させること
を特徴とする請求項１０記載の無線受信装置。
【請求項１３】  上記同期手段の同期制御部は、トランスポートストリームパケット（ＴＳパケット）内のＰＩＤ（Packet Identification）及びコンティニュイティカウンタ値、並びに、同期バイトに基づき、上記遅延量をＴＳパケット単位で制御して、各トランスポートストリームを同期させること
を特徴とする請求項１０記載の無線受信装置。
【請求項１４】  複数の受信装置によって１つの送信装置から無線送信された送信信号を受信し、上記各受信装置がデジタルデータ系列を復調するとともに、復調したデジタルデータ系列に対して誤り訂正処理を行い、
上記各受信装置から出力される複数のデジタルデータ系列を同期させ、
上記各デジタルデータ系列の伝送誤りの状態に応じて、同期させた複数のデジタルデータ系列のなかから１つのデジタルデータ系列を選択して１つのデジタルデータ系列に合成し、合成した１つのデジタルデータ系列を出力すること
を特徴とする無線受信方法。
【手続補正２】
【補正対象書類名】明細書
【補正対象項目名】０００７
【補正方法】変更
【補正の内容】
【０００７】
【課題を解決するための手段】
上述の課題を解決するために、本発明にかかる無線受信装置は、１つの送信装置から無線送信された送信信号を受信してデジタルデータ系列を復調するとともに、復調したデジタルデータ系列に対して誤り訂正処理を行う複数の受信手段と、上記各受信手段から出力される複数のデジタルデータ系列を同期させる同期手段と、同期させた複数のデジタルデータ系列を合成して１つのデジタルデータ系列を出力する合成手段とを備え、上記合成手段は、各デジタルデータ系列の伝送誤りの状態に応じて、複数のデジタルデータ系列のなかから１つのデジタルデータ系列を選択して合成することを特徴とする。
【手続補正３】
【補正対象書類名】明細書
【補正対象項目名】００１０
【補正方法】変更
【補正の内容】
【００１０】
また、本発明にかかる無線受信方法では、複数の受信装置によって１つの送信装置から無線送信された送信信号を受信し、上記各受信装置がデジタルデータ系列を復調するとともに、復調したデジタルデータ系列に対して誤り訂正処理を行い、上記各受信装置から出力される複数のデジタルデータ系列を同期させ、上記各デジタルデータ系列の伝送誤りの状態に応じて、同期させた複数のデジタルデータ系列のなかから１つのデジタルデータ系列を選択して１つのデジタルデータ系列に合成し、合成した１つのデジタルデータ系列を出力することを特徴とする。
【手続補正４】
【補正対象書類名】明細書
【補正対象項目名】００２１
【補正方法】変更
【補正の内容】
【００２１】
ＭＰＥＧ２エンコーダ２２は、撮像部２１から供給されたデジタルビデオ信号、マイクロフォン等により集音された後、デジタル化されたデジタル音声信号、所定のデータ信号が入力され、これらをＭＰＥＧ２方式に従い、圧縮符号化する。そして、これらの各圧縮データを多重化して、ＭＰＥＧ２Systemsに規定されたトランスポートストリームを生成する。このトランスポートストリームは、１８８バイトの固定長のトランスポートストリームパケット（ＴＳパケット）から構成され、このＴＳパケットのペイロード部分にビデオ、オーディオ、データ等が記述される。ＭＰＥＧ２エンコーダ２２により生成されたトランスポートストリームは、ＲＳエンコーダ２３に供給される。
【手続補正５】
【補正対象書類名】明細書
【補正対象項目名】００６２
【補正方法】変更
【補正の内容】
【００６２】
第１のＰＩＤ・ＣＣ抽出回路４３は、入力されたＴＳ＿１の各ＴＳパケットから、ＰＩＤ値及びコンティニュイティカウンタ値を抽出する回路である。第２のＰＩＤ・ＣＣ抽出回路４４は、入力されたＴＳ＿２の各ＴＳパケットからＰＩＤ値及びコンティニュイティカウンタ値を抽出する回路である。第１のＰＩＤ・ＣＣ抽出回路４３及び第２のＰＩＤ・ＣＣ抽出回路４４は、入力されたトランスポートストリームから同期バイトを抽出し、その同期バイト位置に基づきＴＳパケット内におけるＰＩＤ及びコンティニュイティカウンタの記述位置を特定して、ＰＩＤ値及びコンティニュイティカウンタ値を抽出する。第１のＰＩＤ・ＣＣ抽出回路４３及び第２のＰＩＤ・ＣＣ抽出回路４４は、抽出したＰＩＤ値及びコンティニュイティカウンタ値をパケットタイミング差検出回路４５に供給する。
【手続補正６】
【補正対象書類名】明細書
【補正対象項目名】００６３
【補正方法】変更
【補正の内容】
【００６３】
パケットタイミング差検出回路４５は、ＴＳ＿1の各ＴＳパケットのＰＩＤ値及びコンティニュイティカウンタ値と、ＴＳ＿２の各ＴＳパケットのＰＩＤ値及びコンティニュイティカウンタ値とに基づき、ＴＳ＿1の入力タイミングとＴＳ＿２の入力タイミングとの間に、パケット単位でどれだけのタイミング差があるかを検出する。つまり、入力されてくるＴＳ＿１とＴＳ＿２との間で、ＰＩＤ値及びコンティニュイティカウンタ値が一致するＴＳパケット（すなわち同一のＴＳパケット）を検出し、同一のＴＳパケットが入力されてくるのに、どれだけのタイミング差があるかを、パケット単位で検出する。検出したパケットタイミング差は、遅延制御回路４９に供給される。
【手続補正７】
【補正対象書類名】明細書
【補正対象項目名】００７０
【補正方法】変更
【補正の内容】
【００７０】
このようにＴＳ合成回路１７では、第１のバッファ回路４１及び第２のバッファ回路４２の遅延量を制御することにより、各外部受信ユニット１３の配置等の違いにより伝送タイミングが異なっている各トランスポートストリームを、同期させることができる。具体的には、各ＴＳパケットのＰＩＤ及びコンティニュイティカウンタを参照することによりパケット単位での同期をとることができ、ＴＳパケットの同期バイトを参照することによりビット単位での同期をとることができる。そして、各ＴＳパケットのエラーインジケータフラグに基づき、エラーが生じていないＴＳパケットを選択して出力する。このように同期をとることによりシームレスにＴＳ＿1とＴＳ＿２との切換をすることができ、また、各ＴＳパケットに生じているエラーを監視しながらエラーが生じていないＴＳパケットを選択して出力することにより出力するトランスポートストリームの信頼性を向上させることができる。
【手続補正８】
【補正対象書類名】明細書
【補正対象項目名】００７１
【補正方法】変更
【補正の内容】
【００７１】
以上のように本発明の実施の形態の無線中継システム１では、１つのワイヤレスカメラ１１から出力された送信波を受信する受信中継局１２が、異なる位置や指向性とされて配置された複数の外部受信ユニット１３と、内部受信ユニット１４により構成されている。内部受信ユニット１４の各受信部１６は、外部受信ユニット１３により受信した各受信信号に対して、ＯＦＤＭ復調及び伝送路復号をするとともに、復調した各トランスポートストリームに対して誤り訂正処理を行い、誤り訂正能力を超えた伝送誤りが生じているＴＳパケットに対してはエラーインジケータフラグを１として出力する。そして、内部受信ユニット１４のＴＳ合成部１７では、受信された複数のトランスポートストリームを、同期バイト，ＰＩＤ，コンティニュイティカウンタ値を参照して完全に同期させ、エラーが生じていないＴＳパケットを選択して１つのデジタルデータ系列に合成する。
【手続補正９】
【補正対象書類名】明細書
【補正対象項目名】００７７
【補正方法】変更
【補正の内容】
【００７７】
【発明の効果】
本発明にかかる無線受信装置及び方法では、１つの送信装置から無線送信された送信信号を複数の受信部で受信する。各受信部は、デジタルデータ系列を復調するとともに、復調したデジタルデータ系列に対して誤り訂正処理を行う。そして、この無線受信装置では、各受信装置から出力される複数のデジタルデータ系列を同期させ、各デジタルデータ系列の伝送誤りの状態に応じて、同期させた複数のデジタルデータ系列のなかから１つのデジタルデータ系列を選択して１つのデジタルデータ系列に合成する。